(57)【特許請求の範囲】
【請求項１】
被検体を透過したＸ線を読み出す複数のＸ線検出素子と、前記複数のＸ線検出素子で検出されたＸ線信号に基づくＸ線画像若しくはＸ線データを記憶する画像記憶部と、複数のＧＰＳ衛星からの電波を受信するＧＰＳアンテナと、前記ＧＰＳアンテナにより受信された電波に基づいてＧＰＳ信号を受信するＧＰＳ受信部と、前記ＧＰＳ受信部によって受信されたＧＰＳ信号に基づいて自己の位置を検出する位置検出部と、自己の移動を許容する許容範囲を記憶する許容範囲記憶部、前記画像記憶部に記憶された前記Ｘ線画像若しくはＸ線データの転送動作を行える前記許容範囲の外側に設定した画像転送範囲を記憶する画像転送範囲記憶部、及び、前記位置検出部によって検出された自己の位置が前記許容範囲の内側にあるか否か、また、前記画像転送範囲の内側にあるか否か、を判定する比較判定部と、を有し、
前記画像記憶部は、前記比較判定部により自己の位置が前記許容範囲の外側であり、且つ前記画像転送範囲の内側にあると判定した場合、当該画像記憶部に記憶した前記Ｘ線画像若しくは前記Ｘ線データの転送動作を行うこと、を特徴とするＸ線検出器。
【請求項２】
前記画像記憶部は、当該画像記憶部に記憶した前記Ｘ線画像若しくは前記Ｘ線データの転送動作を行った後、当該画像記憶部に記憶した前記Ｘ線画像若しくは前記Ｘ線データを削除すること、を特徴とする請求項１に記載のＸ線検出器。
【請求項３】
被検体を透過したＸ線を読み出す複数のＸ線検出素子と、前記複数のＸ線検出素子で検出されたＸ線信号に基づくＸ線画像若しくはＸ線データを記憶する画像記憶部と、複数のＧＰＳ衛星からの電波を受信するＧＰＳアンテナと、前記ＧＰＳアンテナにより受信された電波に基づいてＧＰＳ信号を受信するＧＰＳ受信部と、前記ＧＰＳ受信部によって受信されたＧＰＳ信号に基づいて自己の位置を検出する位置検出部と、自己の移動を許容する許容範囲を記憶する許容範囲記憶部、前記画像記憶部に記憶された前記Ｘ線画像若しくはＸ線データの転送動作を行える前記許容範囲の外側に設定した画像転送範囲を記憶する画像転送範囲記憶部、及び、前記位置検出部によって検出された自己の位置が前記許容範囲の内側にあるか否か、を判定する比較判定部と、を有し、
前記画像記憶部は、前記比較判定部により自己の位置が前記許容範囲の外側にあると判定した場合、当該画像記憶部に記憶した前記Ｘ線画像若しくは前記Ｘ線データを削除すること、を特徴とするＸ線検出器。
【請求項４】
自己の位置をリアルタイム又は所定の時間間隔で記憶する位置記憶部を有し、
前記比較判定部は、前記位置記憶部に記憶された自己の位置と、前記許容範囲記憶部に記憶された許容範囲と、比較して前記位置検出部によって検出された自己の位置が前記許容範囲の内側にあるか否か、を判定すること、を特徴とする請求項１乃至３の何れか一項に記載のＸ線検出器。
【請求項５】
外部機器に通信することができる通信部を備え、前記比較判定部により自己の位置が前記許容範囲の外側にあると判定した場合、前記外部機器に盗難されたことを伝達すること、を特徴とする請求項１乃至４の何れか一項に記載のＸ線検出器。
【請求項６】
前記比較判定部により自己の位置が前記許容範囲の外側にあると判定した場合に警報を行う警報部を備えることを特徴とする請求項１乃至５の何れか一項に記載のＸ線検出器。
【請求項７】
Ｘ線を発生させるＸ線発生部と、前記請求項１乃至６のいずれか一項に記載されたＸ線検出器と、Ｘ線画像を表示する表示部とを備えることを特徴とするＸ線診断装置。
【請求項８】
前記Ｘ線検出器と通信する通信部と、使用可能なＸ線検出器のＩＤ番号を記憶するＩＤ記憶部と、前記Ｘ線検出器に付与されたＩＤ番号とＩＤ記憶部に記憶された使用可能なＸ線検出器のＩＤ番号とを照合するＩＤ照合部と、を備えることを特徴とする請求項７記載のＸ線診断装置。
【発明の詳細な説明】
【技術分野】
【０００１】
本発明は、被検体を透過したX線を検出するX線検出器、及びそれを用いたX線診断装置に関するものである。
【背景技術】
【０００２】
X線診断装置の本体にX線発生部が保持され、X線診断装置の本体とは別体に構成され持ち運びができるX線検出器をベッド上に置いて、X線撮影を行なうX線診断装置がある。また、X線発生部を支持する支持器とX線検出器とを支持する支持器とが個別に設けられたX線診断装置がある。
【０００３】
上記のように、X線診断装置の本体とX線検出器とが別体に構成されたX線診断装置として、例えば、車輪付きの台車を有して移動することができるX線診断装置の本体と、持ち運びができるX線検出器を採用した移動型X線診断装置がある。
【０００４】
特許文献1には、磁気センサのトランスミッタを設置するとともに、X線診断装置の本体とは別体に構成されたX線検出器の保持部材に磁気センサのレシーバを設置する形態が開示されている。この形態では、磁気センサのトランスミッタとレシーバを動作させ、X線検出器の位置を検出している。
【先行技術文献】
【特許文献】
【０００５】
【特許文献１】特開2010-119485号公報
【発明の概要】
【発明が解決しようとする課題】
【０００６】
X線検出器は、軽量化が進んでおり容易に持ち運びできるようになった。そのため、X線検出器は、病院内の廊下や人目につく場所に置かれることがある。しかしながら、X線検出器の盗難防止機能は確立されていない。
【０００７】
特許文献1に記載された磁気センサによる位置検出手法では、X線検出器が病院外に持ち出され、盗難されたか否かを検出することができない。
【０００８】
本発明は、盗難防止機能を有したX線検出器、及びそれを用いたX線診断装置を提供することを目的とする。
【課題を解決するための手段】
【０００９】
本発明の目的を達成するため、本発明のX線検出器は、被検体を透過したX線を読み出す複数のX線検出素子と、前記複数のX線検出素子で検出されたX線信号に基づくX線画像若しくはX線データを記憶する画像記憶部と、複数のGPS衛星からの電波を受信するGPSアンテナと、前記GPSアンテナにより受信された電波に基づいてGPS信号を受信するGPS受信部と、前記GPS受信部によって受信されたGPS信号に基づいて自己の位置を検出する位置検出部と、自己の移動を許容する許容範囲を記憶する許容範囲記憶部、前記画像記憶部に記憶された前記X線画像若しくはX線データの転送動作を行える前記許容範囲の外側に設定した画像転送範囲を記憶する画像転送範囲記憶部、及び、前記位置検出部によって検出された自己の位置が前記許容範囲の内側にあるか否か、また、前記画像転送範囲の内側にあるか否か、を判定する比較判定部と、を有し、前記画像記憶部は、前記比較判定部により自己の位置が前記許容範囲の外側であり、且つ前記画像転送範囲の内側にあると判定した場合、当該画像記憶部に記憶した前記X線画像若しくは前記X線データの転送動作を行う。
【００１０】
また、被検体を透過したX線を読み出す複数のX線検出素子と、前記複数のX線検出素子で検出されたX線信号に基づくX線画像若しくはX線データを記憶する画像記憶部と、複数のGPS衛星からの電波を受信するGPSアンテナと、前記GPSアンテナにより受信された電波に基づいてGPS信号を受信するGPS受信部と、前記GPS受信部によって受信されたGPS信号に基づいて自己の位置を検出する位置検出部と、自己の移動を許容する許容範囲を記憶する許容範囲記憶部、前記画像記憶部に記憶された前記X線画像若しくはX線データの転送動作を行える前記許容範囲の外側に設定した画像転送範囲を記憶する画像転送範囲記憶部、及び、前記位置検出部によって検出された自己の位置が前記許容範囲の内側にあるか否か、を判定する比較判定部と、を有し、前記画像記憶部は、前記比較判定部により自己の位置が前記許容範囲の外側にあると判定した場合、当該画像記憶部に記憶した前記X線画像若しくは前記X線データを削除すること、を特徴とする。
【発明の効果】
【００１３】
本発明によれば、盗難防止機能をX線検出器に備えることができる。また、X線診断装置に盗難防止機能を備えたX線検出器を備えることができる。
【図面の簡単な説明】
【００１４】
【図１】本発明のX線診断装置の全体構成を示す図。
【図２】本発明のX線検出器の構成を示す図。
【図３】本発明の実施例1におけるX線検出器の判定部の一例を示す図。
【図４】本発明の実施例1における比較判定部の一判定手法を示す図。
【図５】本発明の実施例2におけるX線検出器の判定部の一例を示す図。
【図６】本発明の実施例2における比較判定部の一判定手法を示す図。
【図７】本発明の実施例3におけるX線検出器の認証機能を説明するための図。
【発明を実施するための形態】
【００１５】
図1に示すように、本発明のX線診断装置の一例である移動型X線診断装置は、X線診断装置の本体1と、X線診断装置の本体1からの制御によりX線を発生させるX線発生部2と、X線の照射野を調整するX線可動絞り3とを具えている。本体1は台車4上に固定され、台車4を駆動するモータ(図示せず)を内蔵すると共に、撮影条件を設定するための操作パネル(図示せず)を具えている。
【００１６】
X線発生部2は、X線管と高電圧発生部を有し、操作パネルで設定された撮影条件に応じてX線を発生する。X線可動絞り3はX線発生部2の直下に回転自在に装着され、X線発生部2と共にアーム5を介して支柱6にスライド自在に支持されている。
【００１７】
また、X線可動絞り3は、X線発生部2から発生したX線を遮蔽するX線遮蔽用鉛板を複数有している。複数のX線遮蔽用鉛板をそれぞれ移動することにより、被検体10に対するX線照射領域を決定することができる。
【００１８】
X線発生部2とX線可動絞り3は、支柱6の回転、支柱6沿いの昇降およびアーム5の伸縮により撮影時に所定の位置に移動される。
【００１９】
被検体10を載せるベッド8には、X線検出器7がX線発生部2に対向するように設置されている。X線診断装置の本体1の側面にX線検出器7の収納部を有している。そのため、X線検出器7が使用されない時はX線診断装置の本体1の収納部に収納することができる。
【００２０】
X線発生部2は、高電圧の電力供給を受けてX線を発生させるX線管を有する。また、X線発生部2には、特定のエネルギーのX線を選択的に透過させるX線フィルタなどを有していてもよい。
【００２１】
X線検出器7は、X線を検出する複数のX線検出素子が配置されて構成されており、X線発生部2から照射され、被検体10を透過したX線信号を検出する。
【実施例１】
【００２２】
ここで、GPS(Global Positioning System)衛星を利用したX線検出器7について説明する。
図2に示すように、X線検出器7には、複数のGPS衛星からの電波を受信するGPSアンテナ20と、GPSアンテナ20により受信された電波に基づいてGPS信号を受信するGPS受信部22と、GPS受信部22によって受信されたGPS信号に基づいて、X線検出器7の位置を検出する位置検出部24と、位置検出部24によって検出されたX線検出器7の位置が許容範囲の内側にあるか否かを判定する判定部26と、判定部26の判定情報に基づいて各種制御を行う制御部28と、X線検出器7の位置が許容範囲の内側にない場合に警報を行う警報部30とを備えている。
さらに、X線検出器7には、被検体10を透過したX線を読み出す複数のX線検出素子40と、複数のX線検出素子40で検出されたX線信号を画像処理してX線画像を構成する画像処理部42と、画像処理部42において構成されたX線画像を記憶する画像記憶部44と、構成されたX線画像をX線検出器7の外部の本体1、又は図示しない外部機器にX線画像などを送信する通信部46とを備えている。外部機器は、サーバやＰＣ、操作卓などであり、X線画像を表示する機能を備えた機器を含む。
【００２３】
X線検出器7は、X線を検出する複数のX線検出素子40が2次元アレイ状に配置されて構成されており、X線発生部2から照射され、被検体10を透過したX線の入射量に応じたX線信号を検出する機器である。
【００２４】
画像処理部42は、複数のX線検出素子40の配列に合わせて、X線検出素子40から出力されたX線信号を画像処理し、画像処理されたX線画像を出力する。画像処理は、ガンマ変換、階調変換処理、画像の拡大・縮小等を含む。画像記憶部44は、画像処理部42から出力されたX線画像を記憶する。画像記憶部44は、X線画像とともに、被検体10の個人情報、X線画像が撮影された撮影時間などを記憶することもできる。
【００２５】
なお、本実施例では、X線検出器7に画像処理部42を有していなくても実現することができる。画像記憶部44は、複数のX線検出素子40で検出されたX線信号に基づくX線データを記憶する。X線データを画像処理する画像処理部42は、本体1又は外部機器に有していれば足りる。
【００２６】
通信部46は、無線又は有線の通信線からなる各種信号の通信機能を有するものである。例えば、通信部46は、病院の無線LANを介して、本体1又は外部機器に接続され、各種信号の送信が行われる。例えば、画像記憶部44に記憶されたX線画像若しくはX線データ、位置検出部24で検出されたX線検出器7の位置情報、判定部26で判定された判定情報は、通信部46を介して、本体1又は外部機器に送信される。
【００２７】
表示部は、X線検出器7以外の本体1又は外部機器に備えられている。例えば、通信部46を介して画像記憶部44から送信されたX線画像若しくはX線データは、本体1又は外部機器の表示部で表示される。表示部は、位置検出部24で検出されたX線検出器7の位置情報、判定部26で判定された判定情報を表示することもできる。
【００２８】
次に、GPS衛星を利用してX線検出器7の位置を検出し、X線検出器7の位置が許容範囲の内側にあるか否かを判定する手法について説明する。
【００２９】
GPSアンテナ20によって複数のGPS衛星が発信する電波を常に受信し、GPSアンテナ20により受信された電波に基づいて、GPS受信部22によってGPS信号を受信する。
【００３０】
GPS受信部22が受信したGPS信号は、位置検出部24に伝達される。位置検出部24は、GPS衛星とX線検出器7のGPSアンテナ20との距離を算出してX線検出器7の位置を検出する。そして、位置検出部24は、X線検出器7の位置を緯度データ(X座標)および経度データ(Y座標)で検出することができる。このように、GPSアンテナ20及びGPS受信部22によってGPS信号を常に受信しているため、X線検出器7の現在の位置を検出することができる。
【００３１】
判定部26は、図3に示すように、X線検出器7の位置をリアルタイムに記憶する位置記憶部50と、X線検出器7の許容範囲を記憶する許容範囲記憶部52と、X線検出器7の位置が許容範囲の内側に入っているか否か比較して判定を行なう比較判定部54を備えている。
【００３２】
位置記憶部50は、X線検出器7の現在の位置をリアルタイム又は所定時間の間隔で記憶するメモリである。新しく検出されたX線検出器7の位置が位置検出部24から伝達されると、過去に検出されたX線検出器7の位置が新しく検出されたX線検出器7の位置に置き換えられて、新しく検出されたX線検出器7の位置が位置記憶部50に記憶される。なお、位置記憶部50は、X線検出器7の位置を履歴として時間情報とともに記憶することもできる。
【００３３】
X線検出器7を任意に移動することができる許容範囲を使用者が予め設定し、許容範囲記憶部52は設定された許容範囲の緯度データ(X座標)および経度データ(Y座標)を記憶する。許容範囲とは、X線検出器7が病院外に盗難されたか否かを判定することができる範囲である。例えば、病院の範囲(建屋若しくは敷地)を許容範囲として設定して、許容範囲記憶部52に記憶させることができる。
【００３４】
比較判定部54は、位置記憶部50に記憶されたX線検出器7の位置と、許容範囲記憶部52に記憶されたX線検出器7の許容範囲とを比較して、X線検出器7の位置が許容範囲の内側にあるか否かを判定する。
【００３５】
図4を用いて、比較判定部54について具体的に説明する。X線検出器7を任意に移動することができる許容範囲60は、緯度データ(X座標)および経度データ(Y座標)における、点(X1，Y1)、点(X2，Y1)、点(X1，Y2)、点(X2，Y2)で囲まれる範囲である。ここでは、許容範囲60として、病院の範囲(建屋若しくは敷地)の4隅に点が設定されている。許容範囲外62は、許容範囲60の外側の範囲であり、病院外の範囲である。
【００３６】
点(X1，Y1)、点(X2，Y1)、点(X1，Y2)、点(X2，Y2)の位置とその囲まれる許容範囲60は、GPS衛星とGPSアンテナ20との距離から算出され、許容範囲記憶部52に予め記憶される。また、位置記憶部50に記憶されたX線検出器7の位置は、緯度データ(X座標)および経度データ(Y座標)における、点(a，b)で示されている。
【００３７】
比較判定部54は、X線検出器7の位置である点(a，b)が、点(X1，Y1)、点(X2，Y1)、点(X1，Y2)、点(X2，Y2)で囲まれる許容範囲の内側であるか否か判定する。図4では、X線検出器7の位置である点(a，b)が許容範囲外62(許容範囲60の外側の範囲)である例を示している。
【００３８】
比較判定部54は、X線検出器7の位置が許容範囲の内側にあるか否かの判定情報を制御部28に伝達する。図4に示す例では、比較判定部54はX線検出器7が許容範囲外62(許容範囲60の外側の範囲)にあることを制御部28に伝達する。
【００３９】
X線検出器7が許容範囲外62(許容範囲60の外側の範囲)にある場合、制御部28は、警報部30に対して警報を行うように指示を行う。警報部30は、制御部28の指示に基づいて警報を行う。よって、警報部30の警報により、X線検出器7を盗難から防止することができる。
【００４０】
具体的には、警報部30は、ランプや音声、振動などで警報を行う。例えば、X線検出器7の表面に赤色に点灯できるランプが備えられ、X線検出器7が許容範囲外62(許容範囲60の外側の範囲)にある場合、ランプが赤色に点灯する。このように、X線検出器7が盗難されたとしても、X線検出器7から異常状態を発信し続けることができる。
【００４１】
また、X線検出器7に音声を発することができる音源が備えられ、X線検出器7が許容範囲外62(許容範囲60の外側の範囲)にある場合、音源から大音量の警報にかかる音声を発する。大音量の警報は、手で耳を押さえても聞こえてしまう程度の音声である。このように、X線検出器7が盗難されたとしても、X線検出器7から異常状態を発信し続けることができる。
【００４２】
また、X線検出器7に振動することができる振動体が備えられ、X線検出器7が許容範囲外62(許容範囲60の外側の範囲)にある場合、振動体が振動する。振動体が振動するとX線検出器7自体も振動し、X線検出器7でX線を正確に検出することができないようになる。このように、X線検出器7が盗難されたとしても、X線検出器7に使用制限をかけることができる。
【００４３】
さらに、X線検出器7が許容範囲外62(許容範囲60の外側の範囲)にある場合、制御部28は画像記憶部44に対して記憶されたX線画像若しくはX線データを消去するように指示を行う。画像記憶部44は、制御部28の指示に基づいて、記憶されたX線画像若しくはX線データを削除する。このように、X線検出器7が病院外に盗難されたとしても、記憶されたX線画像若しくはX線データを画像記憶部44から削除することにより、被検体10のプライバシーを保護することができる。
【００４４】
また、判定部26内の比較判定部54は、X線検出器7の位置が許容範囲の内側にあるか否かの判定情報を記憶することができる。X線検出器7が許容範囲外62(許容範囲60の外側の範囲)にある場合、通信部46を介して、判定部26の判定情報とともに、本体1又は外部機器にX線検出器7が盗難されたことを伝達する。よって、使用者は本体1又は外部機器からX線検出器7の盗難されたことを把握することができる。
【００４５】
また、判定部26内の位置記憶部50は、X線検出器7の位置を履歴として記憶しているため、X線検出器7が許容範囲外62(許容範囲60の外側の範囲)にある場合、通信部46を介して、本体1又は外部機器にX線検出器7の位置の履歴を伝達する。本体1又は外部機器に伝達されたX線検出器7の位置の履歴を辿ることにより、使用者はX線検出器7の盗難経路を把握することができるとともに、警察にX線検出器7の盗難経路を連絡することができる。よって、X線検出器7を盗難から防止することができる。
【００４６】
なお、本実施例では、X線検出器7を任意に移動することができる許容範囲60を、緯度データ(X座標)および経度データ(Y座標)における、点(X1，Y1)、点(X2，Y1)、点(X1，Y2)、点(X2，Y2)で囲まれる矩形範囲としたが、矩形範囲に限定されない。許容範囲60は、台形の範囲、多角形の範囲、円形の範囲、楕円形の範囲など様々な形状の範囲であってもよい。
【００４７】
また、本実施例では、GPS信号を受信してX線検出器7の位置を検出したが、X線検出器7に携帯電話の機能(CDMA方式、TDMA方式など)を搭載し、X線検出器7がどの基地局が接続されたことを検出することにより、X線検出器7の位置を得てもよい。
【００４８】
本実施例のX線検出器7によれば、複数のGPS衛星からの電波を受信するGPSアンテナ20と、GPSアンテナ20により受信された電波に基づいてGPS信号を受信するGPS受信部22と、GPS受信部22によって受信されたGPS信号に基づいて、X線検出器7(自己)の位置を検出する位置検出部24と、位置検出部24によって検出されたX線検出器7(自己)の位置が許容範囲の内側にあるか否かを判定する判定部26とを備える。よって、盗難防止機能をX線検出器7に備えることができる。
【００４９】
また、被検体を透過したX線を読み出す複数のX線検出素子40と、複数のX線検出素子40で検出されたX線信号に基づくX線画像若しくはX線データを記憶する画像記憶部44とを備え、X線検出器7(自己)の位置が前記許容範囲の外側の範囲にある場合、画像記憶部44は記憶されたX線画像若しくはX線データを削除する。
【実施例２】
【００５０】
ここで実施例2について図5、6を用いて説明する。実施例1と異なる点は、画像記憶部44に記憶されたX線画像若しくはX線データを転送するための画像転送範囲を記憶する画像転送範囲記憶部70を備え、X線検出器7の位置が許容範囲60の外側であり、且つ画像転送範囲64の内側にある場合、画像記憶部44に記憶されたX線画像若しくはX線データを本体1又は外部機器に転送する点である。
【００５１】
判定部26は、図5に示すように、X線検出器7の位置をリアルタイムに記憶する位置記憶部50と、X線検出器7の許容範囲を記憶する許容範囲記憶部52と、X線検出器7の位置が許容範囲の内側に入っているか否か比較して判定を行なう比較判定部54に加えて、画像記憶部44に記憶されたX線画像若しくはX線データを転送する画像転送範囲を記憶する画像転送範囲記憶部70を備えている。
【００５２】
位置記憶部50、許容範囲記憶部52、比較判定部54は、実施例1で説明したため、ここでは説明を省略する。
【００５３】
図6を用いて、比較判定部54について具体的に説明する。X線検出器7を任意に移動することができる許容範囲60は、緯度データ(X座標)および経度データ(Y座標)における、点(X1，Y1)、点(X2，Y1)、点(X1，Y2)、点(X2，Y2)で囲まれる範囲である。
【００５４】
また、画像転送範囲64は、許容範囲60の外周の範囲であり、病院外の範囲である。画像転送範囲64は、許容範囲60から数ｍ以内の外周の範囲である。画像転送範囲64は、例えば、病院の無線LANの電波が届く範囲であり、病院の無線LANを介して、画像記憶部44に記憶された容量が比較的大きいX線画像若しくはX線データを病院の本体1又は外部機器に転送できる範囲である。なお、外周の範囲は、使用者が任意に設定することができる。
【００５５】
図6に示すように、画像転送範囲64は、緯度データ(X座標)および経度データ(Y座標)における、点(X3，Y3)、点(X4，Y3)、点(X3，Y4)、点(X4，Y4)で囲まれる範囲である。また、許容範囲外62は、許容範囲60及び画像転送範囲64の外側の範囲であり、病院外の範囲である。
【００５６】
比較判定部54は、X線検出器7の位置である点(a，b)が、点(X1，Y1)、点(X2，Y1)、点(X1，Y2)、点(X2，Y2)で囲まれる許容範囲60の内側であるか、点(X3，Y3)、点(X4，Y3)、点(X3，Y4)、点(X4，Y4)で囲まれる画像転送範囲64の内側であるか否か判定する。図6ではX線検出器7の位置である点(a，b)が、点(X1，Y1)、点(X2，Y1)、点(X1，Y2)、点(X2，Y2)で囲まれる許容範囲60の外側であるとともに、点(X3，Y3)、点(X4，Y3)、点(X3，Y4)、点(X4，Y4)で囲まれる画像転送範囲64の内側である例を示している。
【００５７】
比較判定部54は、X線検出器7の位置が許容範囲60の外側であり、且つ画像転送範囲64の内側にあるか否かの判定情報を制御部28に伝達する。
【００５８】
X線検出器7の位置が許容範囲60の外側であり、且つ画像転送範囲64の内側にある場合、制御部28は、画像記憶部44に対して記憶されたX線画像若しくはX線データを本体1又は外部機器に転送するように指示を行う。画像記憶部44は、制御部28の指示に基づいて、記憶されたX線画像若しくはX線データを本体1又は外部機器に転送する。そして、X線画像若しくはX線データが本体1又は外部機器に転送されると、X線画像若しくはX線データは画像記憶部44から削除される。
【００５９】
本実施例のX線検出器7によれば、画像記憶部44に記憶されたX線画像若しくはX線データを転送するための画像転送範囲を記憶する画像転送範囲記憶部70を備え、X線検出器7(自己)の位置が許容範囲の外側であり、且つ画像転送範囲の内側にある場合、画像記憶部44に記憶されたX線画像若しくはX線データを転送する。よって、X線検出器7が病院外に盗難されたとしても、記憶されたX線画像若しくはX線データを本体1又は外部機器に転送することにより、X線画像若しくはX線データを保護することができる。また、画像記憶部44からX線画像若しくはX線データを削除することにより、被検体10のプライバシーを保護することができる。
【実施例３】
【００６０】
ここで実施例3について図7を用いて説明する。実施例1、2と異なる点は、X線検出器7に認証機能を有している点である。
【００６１】
X線検出器7には、複数のX線検出素子40と、画像処理部42と、画像記憶部44と、通信部46と、制御部28と、警報部30とを備えている。さらに、図示はしないが、GPSアンテナ20と、GPS受信部22と、位置検出部24と、判定部26も備えている。これらの構成については、実施例1、2で説明したため、ここでは説明を省略する。
【００６２】
X線検出器7には、X線検出器7のID番号を記憶するID記憶部80を備えている。ID番号とは、工場で製造され出荷されるそれぞれのX線検出器7に付与される通し番号である。通し番号でID番号が付与されるため、それぞれのX線検出器7には異なるID番号が付与されることになる。
【００６３】
一方、X線診断装置の本体1には、X線検出器7の通信部90と無線又は有線で通信することができる通信部90と、X線診断装置の本体1で使用可能なX線検出器7のID番号を記憶するID記憶部92と、ID記憶部80に記憶されたX線検出器7のID番号とID記憶部92に記憶された使用可能なX線検出器7のID番号とを照合するID照合部94と、ID照合部94のID照合情報、X線検出器7から出力されたX線画像などを表示する表示部96とが備えられている。
【００６４】
図7の破線矢印に示されるように、X線診断装置の本体1のID記憶部92には、X線検出器7のID記憶部80に記憶されているID番号が予め記憶されている。例えば、X線診断装置の本体1とX線検出器7をセットで販売される場合がある。その場合、X線診断装置の本体1とX線検出器7の製品出荷時に、X線診断装置の本体1のID記憶部92とX線検出器7のID記憶部80に同じID番号を記憶する。また、X線検出器7が単体で販売される場合がある。その場合、病院の使用者が病院内で使用するX線診断装置の本体1のID記憶部92にX線検出器7のID番号を記憶させる。
【００６５】
ID照合部94は、X線検出器7の通信部46及びX線診断装置の本体1の通信部90で通信する度に、ID記憶部80に記憶されたX線検出器7のID番号とID記憶部92に記憶された使用可能なX線検出器7のID番号と照合を行う。
【００６６】
ID照合部94において、ID記憶部80に記憶されたX線検出器7のID番号とID記憶部92に記憶された使用可能なX線検出器7のID番号とが一致する場合、通信部90を介して、X線検出器7とX線診断装置の本体1とのID番号が一致したことをX線検出器7の制御部28に伝達する。そして、制御部28は、画像記憶部44に対して記憶されたX線画像若しくはX線データをX線診断装置の本体1に転送するように指示を行う。画像記憶部44は、制御部28の指示に基づいて、記憶されたX線画像若しくはX線データをX線診断装置の本体1に転送する。よって、X線診断装置の本体1の表示部96は、X線検出器7から出力されたX線画像、若しくはX線データに基づくX線画像を表示することができる。
【００６７】
ID照合部94において、ID記憶部80に記憶されたX線検出器7のID番号とID記憶部92に記憶された使用可能なX線検出器7のID番号とが一致しない場合、通信部90を介して、X線検出器7とX線診断装置の本体1とのID番号が一致しないことを制御部28に伝達する。そして、制御部28は、警報部30に対して警報を行うように指示を行う。警報部30は、制御部28の指示に基づいて警報を行う。よって、警報部30の警報により、X線検出器7を盗難から防止することができる。あるいは、盗難されたX線検出器7の使用を排除することができる。また、制御部28は、画像記憶部44に対して記憶されたX線画像若しくはX線データをX線診断装置の本体1に転送できないように制限をかける。画像記憶部44は、制御部28の指示に基づいて、記憶されたX線画像若しくはX線データをX線診断装置の本体1に転送することができない。
【００６８】
本実施例では、X線診断装置の本体1もID番号を記憶しているため、X線検出器7でX線診断装置の本体1のID番号を認証して使用可能にすることもできる。
【００６９】
本実施例では、X線診断装置の本体1を用いて説明したが、X線画像、若しくはX線データに基づくX線画像を表示する機能を備えた外部機器でも実施することができる。外部機器もX線診断装置の本体1と同様に、外部機器で使用可能なX線検出器7のID番号を記憶するID記憶部と、ID記憶部に記憶されたX線検出器7のID番号とID記憶部に記憶された使用可能なX線検出器7のID番号とを照合するID照合部と、ID照合部のID照合情報、X線検出器7から出力されたX線画像などを表示する表示部とが備えられている。
【００７０】
本実施例によれば、X線検出器7が病院外に盗難されたとしても、他のX線診断装置や外部機器でX線検出器7を使用することができないように制限することができる。つまり、盗難されたX線検出器7の使用を排除することができる。
【符号の説明】
【００７１】
1  X線診断装置の本体、2  X線発生部、3  X線可動絞り、4  台車、5  アーム、6  支柱、7  X線検出器、8  ベッド、10  被検体、20  GPSアンテナ、22  GPS受信部、24  位置検出部、26  判定部、28  制御部、30  警報部、40  X線検出素子、42  画像処理部、44  画像記憶部、46  通信部
【図１】
0005846419.tif 000002
【図２】
0005846419.tif 000003
【図３】
0005846419.tif 000004
【図４】
0005846419.tif 000005
【図５】
0005846419.tif 000006
【図６】
0005846419.tif 000007
【図７】
0005846419.tif 000008